【手続補正書】
【提出日】平成16年12月9日(2004.12.9)
【手続補正１】
【補正対象書類名】明細書
【補正対象項目名】特許請求の範囲
【補正方法】変更
【補正の内容】
【特許請求の範囲】
【請求項１】
被検体に向けて照射され、少なくとも前記被検体を透過した放射線の強度分布を電気信号に変換して得られた画像データに対して画像処理を施す画像処理装置において、
前記画像データの同一行上の画素をソートする処理を行う横方向ソート手段と、
前記画像データの同一列上の画素をソートする処理を行う縦方向ソート手段と、
前記横方向ソート手段又は前記縦方向ソート手段のソート処理後の画像データの所定領域から特徴量を抽出する特徴量抽出手段とを備えることを特徴とする画像処理装置。
【請求項２】
前記被写体の領域の縦方向の長さ又は横方向の長さのいずれが長いかを解析する解析手段を備え、
該解析結果に基づき前記特徴量抽出手段は、前記横方向ソート手段又は前記縦方向ソート手段のソート処理後の画像データを選択することを特徴とする請求項１に記載の画像処理装置。
【請求項３】
前記横方向ソート手段は、前記所定領域画像の同一行上の画素列をソートして、当該同一行上の画素列を画素値の高い画素から画素値の低い画素に並びかえるソート処理を実行し、
前記縦方向ソート手段は、前記所定領域画像の同一列上の画素列をソートして、当該同一列上の画素列を画素値の高い画素から画素値の低い画素に並びかえるソート処理を実行し、
前記解析手段は、前記横方向ソート手段のソート処理結果及び前記縦方向ソート手段のソート処理結果から、前記被写体の領域が縦方向に長いか横方向に長いかを判断し、前記特徴量抽出手段は、当該判断の結果に基づき前記所定領域画像が縦方向に長い場合には前記横方向ソート手段でソート処理された画像の所定領域から特徴量を抽出し、前記所定領域画像が横方向に長い場合には前記縦方向ソート手段でソート処理された画像の所定領域から特徴量を抽出することを特徴とする請求項２に記載の画像処理装置。
【請求項４】
前記特徴量抽出手段は、前記ソート処理後の画像の所定領域を、当該画像端部の中点を含む領域とすることを特徴とする請求項１記載の画像処理装置。
【請求項５】
前記特徴量は、前記所定領域の画素から平均値を特徴量として計算することを特徴とする請求項１に記載の画像処理装置。
【請求項６】
前記特徴量に基づき前記画像データの諧調変換処理を行う諧調変換手段とを備えることを特徴とする請求項１乃至５のいずれか１項に記載の画像処理装置。
【請求項７】
複数の機器が互いに通信可能に接続されてなる画像処理システムであって、
前記複数の機器のうち少なくとも１つの機器は、請求項１乃至６の何れか１項に記載の画像処理装置の機能を有することを特徴とする画像処理システム。
【請求項８】
被検体に向けて照射され、少なくとも前記被検体を透過した放射線の強度分布を電気信号に変換して得られた画像データに対して画像処理を施す画像処理方法において、
前記画像データの同一行上の画素をソートする処理を行う横方向ソート工程と、
前記画像データの同一列上の画素をソートする処理を行う縦方向ソート工程と、
前記横方向ソート手段又は前記縦方向ソート手段のソート処理後の画像データの所定領域から特徴量を抽出する特徴量抽出工程とを備えることを特徴とする画像処理方法。
【請求項９】
請求項１乃至６の何れか１項に記載の画像処理装置の機能、又は請求項７記載の画像処理システムの機能をコンピュータに実現させるためのプログラム。
【請求項１０】
請求項８に記載の画像処理方法の処理ステップをコンピュータに実行させるためのプログラムを記録したコンピュータ読取可能な記憶媒体。
【請求項１１】
請求項８に記載の画像処理方法の処理ステップをコンピュータに実行させるためのプログラム。
【手続補正２】
【補正対象書類名】明細書
【補正対象項目名】０００７
【補正方法】変更
【補正の内容】
【０００７】
【課題を解決するための手段】
斯かる目的下において、第１の発明は、被検体に向けて照射され、少なくとも前記被検体を透過した放射線の強度分布を電気信号に変換して得られた画像データに対して画像処理を施す画像処理装置において、前記画像データの同一行上の画素をソートする処理を行う横方向ソート手段と、前記画像データの同一列上の画素をソートする処理を行う縦方向ソート手段と、前記横方向ソート手段又は前記縦方向ソート手段のソート処理後の画像データの所定領域から特徴量を抽出する特徴量抽出手段とを備えることを特徴とする。
【手続補正３】
【補正対象書類名】明細書
【補正対象項目名】０００８
【補正方法】変更
【補正の内容】
【０００８】
第２の発明は、上記第１の発明において、前記被写体の領域の縦方向の長さ又は横方向の長さのいずれが長いかを解析する解析手段を備え、該解析結果に基づき前記特徴量抽出手段は、前記横方向ソート手段又は前記縦方向ソート手段のソート処理後の画像データを選択することを特徴とする。
【手続補正４】
【補正対象書類名】明細書
【補正対象項目名】０００９
【補正方法】変更
【補正の内容】
【０００９】
第３の発明は、上記第２の発明において、前記横方向ソート手段は、前記所定領域画像の同一行上の画素列をソートして、当該同一行上の画素列を画素値の高い画素から画素値の低い画素に並びかえるソート処理を実行し、前記縦方向ソート手段は、前記所定領域画像の同一列上の画素列をソートして、当該同一列上の画素列を画素値の高い画素から画素値の低い画素に並びかえるソート処理を実行し、前記解析手段は、前記横方向ソート手段のソート処理結果及び前記縦方向ソート手段のソート処理結果から、前記被写体の領域が縦方向に長いか横方向に長いかを判断し、前記特徴量抽出手段は、当該判断の結果に基づき前記所定領域画像が縦方向に長い場合には前記横方向ソート手段でソート処理された画像の所定領域から特徴量を抽出し、前記所定領域画像が横方向に長い場合には前記縦方向ソート手段でソート処理された画像の所定領域から特徴量を抽出することを特徴とする。
【手続補正５】
【補正対象書類名】明細書
【補正対象項目名】００１０
【補正方法】変更
【補正の内容】
【００１０】
第４の発明は、上記第１の発明において、前記特徴量抽出手段は、前記ソート処理後の画像の所定領域を、当該画像端部の中点を含む領域とすることを特徴とする。
【手続補正６】
【補正対象書類名】明細書
【補正対象項目名】００１１
【補正方法】変更
【補正の内容】
【００１１】
第５の発明は、上記第１の発明において、前記特徴量は、前記所定領域の画素から平均値を特徴量として計算することを特徴とする。
【手続補正７】
【補正対象書類名】明細書
【補正対象項目名】００１２
【補正方法】変更
【補正の内容】
【００１２】
第６の発明は、上記第１乃至第５のいずれか一つの発明において、前記特徴量に基づき前記画像データの諧調変換処理を行う諧調変換手段とを備えることを特徴とする。
【手続補正８】
【補正対象書類名】明細書
【補正対象項目名】００１３
【補正方法】変更
【補正の内容】
【００１３】
第７の発明は、複数の機器が互いに通信可能に接続されてなる画像処理システムであって、前記複数の機器のうち少なくとも１つの機器は、請求項１乃至６の何れか１項に記載の画像処理装置の機能を有することを特徴とする。
【手続補正９】
【補正対象書類名】明細書
【補正対象項目名】００１４
【補正方法】変更
【補正の内容】
【００１４】
第８の発明は、被検体に向けて照射され、少なくとも前記被検体を透過した放射線の強度分布を電気信号に変換して得られた画像データに対して画像処理を施す画像処理方法において、前記画像データの同一行上の画素をソートする処理を行う横方向ソート工程と、前記画像データの同一列上の画素をソートする処理を行う縦方向ソート工程と、前記横方向ソート手段又は前記縦方向ソート手段のソート処理後の画像データの所定領域から特徴量を抽出する特徴量抽出工程とを備えることを特徴とする。
【手続補正１０】
【補正対象書類名】明細書
【補正対象項目名】００１５
【補正方法】変更
【補正の内容】
【００１５】
第９の発明は、請求項１乃至６の何れか１項に記載の画像処理装置の機能、又は請求項７記載の画像処理システムの機能をコンピュータに実現させるためのプログラムであることを特徴とする。
【手続補正１１】
【補正対象書類名】明細書
【補正対象項目名】００１６
【補正方法】変更
【補正の内容】
【００１６】
第１０の発明は、請求項８に記載の画像処理方法の処理ステップをコンピュータに実行させるためのプログラムをコンピュータ読取可能な記憶媒体に記録したことを特徴とする。
【手続補正１２】
【補正対象書類名】明細書
【補正対象項目名】００１７
【補正方法】変更
【補正の内容】
【００１７】
第１１の発明は、請求項８に記載の画像処理方法の処理ステップをコンピュータに実行させるためのプログラムであることを特徴とする。
【手続補正１３】
【補正対象書類名】明細書
【補正対象項目名】００１８
【補正方法】削除
【補正の内容】